(57)【要約】【課題】  出湯温度が安定した省エネタイプ複合給湯熱源システムを提供する。【解決手段】  発電装置の排熱を利用して貯湯槽に蓄積した湯を給湯先に給湯するコジェネレーション給湯熱源装置と、通水の水を加熱して作成した湯を給湯先に供給する機能を備えた補助給湯熱源装置とを併設し、これらの装置の給湯動作を制御装置４４が制御する。しきい値データメモリ部３９に、貯湯槽の蓄熱量に対応するしきい値データを上部しきい値とそれよりも値の小さい下部しきい値で与え、蓄熱量検出部３５により、コジェネレーション給湯熱源装置の稼働状況の蓄熱量検出に関するモニタ情報に基づき貯湯槽内の湯の蓄熱量に対応する値を求め、求めた値が下部しきい値以下に低下したときは給湯熱源を貯湯槽から補助給湯熱源装置へ切替えて給湯を行い、上記求めた値が上部しきい値以上に上昇したときは給湯熱源を貯湯槽へ切替えて給湯を行う。【選択図】        図１
2005299962.tif 000002
【特許請求の範囲】
【請求項１】
発電装置の排熱を利用して貯湯槽に蓄積した湯を給湯先に給湯するコジェネレーション給湯熱源装置と、通水の水を加熱して作成した湯を給湯先に供給する機能を備えた補助給湯熱源装置とが併設されている複合給湯熱源システムにおいて、前記コジェネレーション給湯熱源装置と補助給湯熱源装置との給湯動作を制御する制御装置には蓄熱量に対応するしきい値データが上部しきい値とそれよりも値の小さい下部しきい値で与えられ、制御装置にはコジェネレーション給湯熱源装置の稼働状況の蓄熱量検出に関するモニタ情報に基づき貯湯槽内の湯の蓄熱量に対応する値を求める蓄熱量検出部が設けられ、この蓄熱量検出部により求められた蓄熱量に対応する値が前記下部しきい値以下に低下したときは給湯熱源を前記貯湯槽から補助給湯熱源装置へ切替えて給湯を行い、貯湯槽内の湯の蓄熱量に対応する値が前記上部しきい値以上に上昇したときは給湯熱源を前記補助給湯熱源装置からコジェネレーション給湯熱源装置の貯湯槽へ切替えて給湯を行う給湯熱源の選択制御部を備えていることを特徴とする複合給湯熱源システム。
【請求項２】
コジェネレーション給湯熱源装置の貯湯槽は、該貯湯槽内に給水を導入する給水路と貯湯槽の湯を送水する給湯路を備え、貯湯槽と発電装置との間には該発電装置の排熱または前記発電装置の排熱吸収流体の熱を利用して貯湯槽内の水を加熱して湯にする手段が配備され、該手段によって形成された湯を貯湯槽に蓄積し、この貯湯槽の湯を前記給湯路を通して給湯先に供給する構成と成していることを特徴とする請求項１記載の複合給湯熱源システム。
【請求項３】
コジェネレーション給湯熱源装置の貯湯槽から送水される給湯の通路は補助給湯熱源装置の給水導入口に連通され、前記貯湯槽の湯のみを熱源として給湯を行うときは、貯湯槽の湯を非加熱駆動状態の補助給湯熱源装置を経由して給湯先へ給湯する構成と成したことを特徴とする請求項１又は請求項２記載の複合給湯熱源システム。
【請求項４】
選択制御部は、貯湯槽から送水される給湯の検出温度情報を取り込み、その給湯の検出温度が給湯設定温度よりも低いときには補助給湯熱源装置を加熱駆動し、貯湯槽からの湯を補助給湯熱源装置で加熱して給湯先へ送水する構成とした請求項３記載の複合給湯熱源システム。
【請求項５】
制御装置により給湯熱源がコジェネレーション給湯熱源装置の貯湯槽から補助給湯熱源装置へ切替られたときには、その補助給湯熱源装置の給湯動作が終了するまでは補助給湯熱源装置からコジェネレーション給湯熱源装置の貯湯槽への熱源切替を阻止する熱源切替阻止部が設けられていることを特徴とする請求項１乃至請求項４のいずれか１つに記載の複合給湯熱源システム。
【請求項６】
蓄熱量に対応するしきい値データを変更するしきい値データ変更部を有し、該しきい値データ変更部は貯湯槽への給水温度が高くなるにつれ上部しきい値と下部しきい値のうち少なくとも上部しきい値を小さくする方向へ変更する構成と成していることを特徴とする請求項１乃至請求項５のいずれか１つに記載の複合給湯熱源システム。
【請求項７】
蓄熱量に対応するしきい値データを変更するしきい値データ変更部を有し、該しきい値データ変更部は給湯設定温度が低くなるにつれ上部しきい値と下部しきい値のうち少なくとも上部しきい値を小さくする方向へ変更する構成と成していることを特徴とする請求項１乃至請求項６のいずれか１つに記載の複合給湯熱源システム。
【請求項８】
１日の整数倍（１以上の整数倍）を周期とする時間軸上の各時刻に対する給湯使用量を流量センサから得られる給湯流量の情報と時計機構から得られる時刻情報とに基き学習記憶する給湯使用量学習記憶部と、蓄熱量に対応するしきい値データを変更するしきい値データ変更部とを有し、該しきい値データ変更部は時計機構から時刻データを取り込み前記給湯使用量学習記憶部のデータを参照して給湯使用量が多くなる時間帯に近づいた時に上部しきい値と下部しきい値のうち少なくとも上部しきい値を小さくする方向に変更する構成と成していることを特徴とする請求項４又は請求項５記載の複合給湯熱源システム。
【請求項９】
発電装置は水素と酸素を反応させて電気を発生する燃料電池とした請求項１乃至請求項８のいずれか１つに記載の複合給湯熱源システム。
【請求項１０】
発電装置はガスエンジンとした請求項１乃至請求項８のいずれか１つに記載の複合給湯熱源システム。
【発明の詳細な説明】
【技術分野】
【０００１】
本発明は、例えば固体高分子型燃料電池（ＰＥＦＣ）等の発電装置の排熱を利用して貯湯槽に蓄積した湯を給湯先に給湯するコジェネレーション給湯熱源装置と、通水の水を加熱して作成した湯を給湯先に供給する補助給湯熱源装置とが併設されている複合給湯熱源システムに関するものである。
【背景技術】
【０００２】
近年、省エネルギー効果を奏することが可能なシステムとして、例えば固体高分子型燃料電池等の発電装置の排熱を利用して、貯湯槽に蓄積した湯を給湯先に給湯するコジェネレーション給湯熱源装置が提案されている（例えば、特許文献１参照。）。
【０００３】
図５には、コジェネレーション給湯熱源装置の一例が示されている。このコジェネレーション給湯熱源装置３は、発電装置１と貯湯槽２とを有し、貯湯槽２は、貯湯槽２内に給水を導入する給水路１１と貯湯槽２の湯を送水する給湯路１２を備えている。給湯路１２には湯水温検出センサ１００が設けられている。
【０００４】
貯湯槽２と発電装置１との間には、冷却水導入通路１３と排熱湯導入通路１４とが配備されており、冷却水導入通路１３は貯湯槽２内の水を発電装置１の冷却水として発電装置１側に導入し、この水を発電装置１の発電時に生じる排熱によって加熱して例えば６０℃といった温度の湯とし、排熱湯導入通路１４を介して貯湯槽２に蓄積する。つまり、冷却水導入通路１３と排熱湯導入通路１４は、貯湯槽２内の水を発電装置１の排熱により加熱して湯にする手段を形成している。
【０００５】
貯湯槽２の下方側には、貯湯槽２内の水を排水する排水通路１５が設けられ、該排水通路１５には排水弁５２が設けられている。貯湯槽２の上方側には、圧力逃がし通路１６が設けられており、圧力逃がし通路１６には、過圧逃がし弁５０が設けられている。貯湯槽２内は、通常、湯または水によって満たされており、この図では、図を分かりやすくするために、湯が充填されている領域を斜線で示している。
【０００６】
このコジェネレーション給湯熱源装置３において、発電装置１が作動すると、貯湯槽２の下部側に貯められている水が冷却水導入通路１３を通して発電装置１に導入され、発電装置１の発電時の排熱によって暖められて湯とされ、この湯が排熱湯導入通路１４を通って貯湯槽２の上方側から貯湯槽２内に導入される。この動作が繰り返されると、貯湯槽２の下部側の水が発電装置１の排熱によって湯にされて貯湯槽２の上部側に導入されるので、図５の破線Ａで示す、貯湯槽２内の水と湯との境界線が貯湯槽２の下部側に移動していく。
【０００７】
なお、貯湯槽２内が全て例えば４５℃以上といった発電許容温度以上の温度の湯で満たされると、発電装置１への冷却水導入を行うことができないので、発電装置１による発電は行えない。
【０００８】
また、貯湯槽２の湯が給湯路１２を通して適宜の給湯場所に送水されると、この送水によって減少した湯量だけ、給水管１１から貯湯槽２内に給水が行われるので、この場合、図５の破線Ａで示す、貯湯槽２内の水と湯との境界線は貯湯槽２の上部側に移動していく。なお、給湯路１２から送水される湯の流量は、流量センサ７０によって検出される。
【０００９】
上記のようなコジェネレーション給湯熱源装置３は、一般に、例えば給湯器を備えた補助給湯熱源装置と併設されて用いられるものであり、補助給湯熱源装置とコジェネレーション給湯熱源装置３の併設によって、複合給湯熱源システムが形成される。
【００１０】
このような複合給湯熱源システムにおいて、コジェネレーション給湯熱源装置３の貯湯槽２から送水される湯水温（例えば湯水温検出センサ１００の検出温度）が、例えば（給湯設定温度＋１）℃未満になって、蓄熱が無くなったと判断された場合、給湯熱源を補助給湯熱源装置に切り替えて給湯を継続し、再度蓄熱が利用できる状態になったら（例えば湯水温検出センサ１００の検出温度が、（給湯設定温度＋１）以上になったら）、給湯熱源を再びコジェネレーション給湯熱源装置３の貯湯槽２に切り替えて貯湯槽２からの給湯を行うようにしている。
【００１１】
【特許文献１】特開２００３―１２０９９８
【発明の開示】
【発明が解決しようとする課題】
【００１２】
しかしながら、複合給湯熱源システムにおいて、上記のようにして貯湯槽２から送水される湯水温と、一つの基準値とに基づいて、貯湯槽２の蓄熱の有無を判断し、コジェネレーション給湯熱源装置３側からの給湯と補助給湯熱源装置からの給湯との切り替えを行うようにすると、給湯時に貯湯槽２内に蓄熱されている湯の蓄熱量と給湯流量と発電によって生じる蓄熱量との関係によっては、貯湯槽２内の蓄熱を使い切って（湯を使い切って）補助給湯熱源装置に切り替えた直後に、再度蓄熱が利用できる状態になり、再度、給湯熱源を貯湯槽２に切り替えた後、また、すぐに、貯湯槽２内の蓄熱を使い切ってしまって補助給湯熱源装置に切り替わるといったことが生じる。
【００１３】
そうなると、コジェネレーション給湯熱源装置３側からの給湯と補助給湯熱源装置からの給湯とが頻繁に切り替わり、出湯温度が安定せず、使用者等に不快感を与えるといった問題があった。
【００１４】
本発明は、上記従来の課題を解決するために成されたものであり、その目的は、コジェネレーション給湯熱源装置と補助給湯熱源装置とを備えた複合給湯熱源システムにおいて、出湯温度が安定した使い勝手の良い複合給湯熱源システムを提供することにある。
【課題を解決するための手段】
【００１５】
上記目的を達成するために、本発明は次のような構成をもって課題を解決するための手段としている。すなわち、第１の発明は、発電装置の排熱を利用して貯湯槽に蓄積した湯を給湯先に給湯するコジェネレーション給湯熱源装置と、通水の水を加熱して作成した湯を給湯先に供給する機能を備えた補助給湯熱源装置とが併設されている複合給湯熱源システムにおいて、前記コジェネレーション給湯熱源装置と補助給湯熱源装置との給湯動作を制御する制御装置には蓄熱量に対応するしきい値データが上部しきい値とそれよりも値の小さい下部しきい値で与えられ、制御装置にはコジェネレーション給湯熱源装置の稼働状況の蓄熱量検出に関するモニタ情報に基づき貯湯槽内の湯の蓄熱量に対応する値を求める蓄熱量検出部が設けられ、この蓄熱量検出部により求められた蓄熱量に対応する値が前記下部しきい値以下に低下したときは給湯熱源を前記貯湯槽から補助給湯熱源装置へ切替えて給湯を行い、貯湯槽内の湯の蓄熱量に対応する値が前記上部しきい値以上に上昇したときは給湯熱源を前記補助給湯熱源装置からコジェネレーション給湯熱源装置の貯湯槽へ切替えて給湯を行う給湯熱源の選択制御部を備えている構成をもって課題を解決する手段としている。
【００１６】
また、第２の発明は、上記第１の発明の構成に加え、前記コジェネレーション給湯熱源装置の貯湯槽は、該貯湯槽内に給水を導入する給水路と貯湯槽の湯を送水する給湯路を備え、貯湯槽と発電装置との間には発電装置の排熱または前記発電装置の排熱吸収流体の熱を利用して貯湯槽内の水を加熱して湯にする手段が配備され、該手段によって形成された湯を貯湯槽に蓄積し、この貯湯槽の湯を前記給湯路を通して給湯先に供給する構成と成している構成をもって課題を解決する手段としている。
【００１７】
さらに、第３の発明は、上記第１または第２の発明の構成に加え、前記コジェネレーション給湯熱源装置の貯湯槽から送水される給湯の通路は補助給湯熱源装置の給水導入口に連通され、前記貯湯槽の湯のみを熱源として給湯を行うときは、貯湯槽の湯を非加熱駆動状態の補助給湯熱源装置を経由して給湯先へ給湯する構成と成したことを特徴とする。
【００１８】
さらに、第４の発明は、上記第３の発明の構成に加え、前記選択制御部は、貯湯槽から送水される給湯の検出温度情報を取り込み、その給湯の検出温度が給湯設定温度よりも低いときには補助給湯熱源装置を加熱駆動し、貯湯槽からの湯を補助給湯熱源装置で加熱して給湯先へ送水する構成としたことを特徴とする。
【００１９】
さらに、第５の発明は、上記第１乃至第４のいずれか一つの発明の構成に加え、前記制御装置により給湯熱源がコジェネレーション給湯熱源装置の貯湯槽から補助給湯熱源装置へ切替られたときには、その補助給湯熱源装置の給湯動作が終了するまでは補助給湯熱源装置からコジェネレーション給湯熱源装置の貯湯槽への熱源切替を阻止する熱源切替阻止部が設けられている構成をもって課題を解決する手段としている。
【００２０】
さらに、第６の発明は、上記第１乃至第５のいずれか一つの発明の構成に加え、前記蓄熱量に対応するしきい値データを変更するしきい値データ変更部を有し、該しきい値データ変更部は貯湯槽への給水温度が高くなるにつれ上部しきい値と下部しきい値のうち少なくとも上部しきい値を小さくする方向へ変更する構成と成していることを特徴とする。
【００２１】
さらに、第７の発明は、上記第１乃至第６のいずれか一つの発明の構成に加え、前記蓄熱量に対応するしきい値データを変更するしきい値データ変更部を有し、該しきい値データ変更部は給湯設定温度が低くなるにつれ上部しきい値と下部しきい値のうち少なくとも上部しきい値を小さくする方向へ変更する構成と成している構成をもって課題を解決する手段としている。
【００２２】
さらに、第８の発明は、上記第４または第５の発明の構成に加え、１日の整数倍（１以上の整数倍）を周期とする時間軸上の各時刻に対する給湯使用量を流量センサから得られる給湯流量の情報と時計機構から得られる時刻情報とに基き学習記憶する給湯使用量学習記憶部と、蓄熱量に対応するしきい値データを変更するしきい値データ変更部とを有し、該しきい値データ変更部は時計機構から時刻データを取り込み前記給湯使用量学習記憶部のデータを参照して給湯使用量が多くなる時間帯に近づいた時に上部しきい値と下部しきい値のうち少なくとも上部しきい値を小さくする方向に変更する構成と成していることを特徴とする。
【００２３】
さらに、第９の発明は上記第１乃至第８のいずれか一つの発明の構成に加え、前記発電装置は水素と酸素を反応させて電気を発生する燃料電池とした構成をもって課題を解決する手段としている。
【００２４】
さらに、第１０の発明は上記第１乃至第８のいずれか一つの発明の構成に加え、前記発電装置はガスエンジンとした構成をもって課題を解決する手段としている。
【発明の効果】
【００２５】
本発明によれば、コジェネレーション給湯熱源装置と補助給湯熱源装置との給湯動作を制御する制御装置に、蓄熱量に対応するしきい値データを上部しきい値とそれよりも値の小さい下部しきい値で与え、コジェネレーション給湯熱源装置の稼働状況の蓄熱量検出に関するモニタ情報に基づき貯湯槽内の湯の蓄熱量に対応する値を求めて、この求めた蓄熱量に対応する値が前記下部しきい値以下に低下したときは給湯熱源を前記貯湯槽から補助給湯熱源装置へ切替えて給湯を行い、貯湯槽内の湯の蓄熱量に対応する値が前記上部しきい値以上に上昇したときは給湯熱源を前記補助給湯熱源装置からコジェネレーション給湯熱源装置の貯湯槽へ切替えて給湯を行う。
【００２６】
つまり、本発明において、制御装置には、蓄熱量に対応するしきい値データとして上部しきい値とそれよりも値の小さい下部しきい値とを与え、これらの値と、コジェネレーション給湯熱源装置の稼働状況の蓄熱量検出に関するモニタ情報に基づいて求めた貯湯槽内の湯の蓄熱量に対応する値とを比較して、給湯熱源の切替えを行うので、貯湯槽内が十分な蓄熱量となってから貯湯槽内の湯を給湯源として利用できるので、従来例のように給湯熱源の切替えが頻繁に起こることを抑制し、出湯温度の安定化を図ることができる。
【００２７】
また、本発明において、コジェネレーション給湯熱源装置の貯湯槽と発電装置との間に配備された手段によって形成された湯を貯湯槽に蓄積し、この貯湯槽の湯を、貯湯槽に備えられた給湯路を通して給湯先に供給する構成によれば、コジェネレーション給湯熱源装置による湯の蓄積と、貯湯槽からの湯の給湯とを効率的に行うことができる。
【００２８】
さらに、本発明において、コジェネレーション給湯熱源装置の貯湯槽から送水される給湯の通路は補助給湯熱源装置の給水導入口に連通され、前記貯湯槽の湯のみを熱源として給湯を行うときは、貯湯槽の湯を非加熱駆動状態の補助給湯熱源装置を経由して給湯先へ給湯する構成によれば、コジェネレーション給湯熱源装置の貯湯槽から送水される給湯の通路と補助給湯熱源装置の給水導入口とを連通させることによりシステム構成を簡単にでき、効率的に給湯を行うことができる。
【００２９】
さらに、本発明において、選択制御部は、貯湯槽から送水される給湯の検出温度情報を取り込み、その給湯の検出温度が給湯設定温度よりも低いときには補助給湯熱源装置を加熱駆動し、貯湯槽からの湯を補助給湯熱源装置で加熱して給湯先へ送水する構成によれば、例えば貯湯槽内の湯が長い間使用されずに湯温が設定温度より低下してしまった場合等に、貯湯槽から送水される湯を補助給湯熱源装置で加熱して給湯先へ送水することにより、効率的な給湯を行うことができる。
【００３０】
さらに、本発明において、制御装置により給湯熱源がコジェネレーション給湯熱源装置の貯湯槽から補助給湯熱源装置へ切替られたときには、その補助給湯熱源装置の給湯動作が終了するまでは補助給湯熱源装置からコジェネレーション給湯熱源装置の貯湯槽への熱源切替を阻止する熱源切替阻止部が設けられている構成によれば、給湯熱源の切替えが頻繁に起こることがより一層抑制されるので、出湯温度の安定化をより一層確実に図ることができる。
【００３１】
さらに、本発明において、蓄熱量に対応するしきい値データを変更するしきい値データ変更部を有し、該しきい値データ変更部は貯湯槽への給水温度が高くなるにつれ上部しきい値と下部しきい値のうち少なくとも上部しきい値を小さくする方向へ変更する構成と成している構成によれば、貯湯槽への給水温度に応じて少なくとも上部しきい値を小さくする方向へ変更することによって、コジェネレーション給湯熱源装置の貯湯槽を給湯熱源としてより多く用いることができ、省エネ化を図ることができる。
【００３２】
さらに、本発明において、蓄熱量に対応するしきい値データを変更するしきい値データ変更部を有し、該しきい値データ変更部は給湯設定温度が低くなるにつれ上部しきい値と下部しきい値のうち少なくとも上部しきい値を小さくする方向へ変更する構成と成している構成によれば、給湯設定温度に応じて少なくとも上部しきい値を小さくする方向へ変更することによって、コジェネレーション給湯熱源装置の貯湯槽を給湯熱源としてより多く用いることができ、省エネ化を図ることができる。
【００３３】
さらに、本発明において、給湯使用量学習記憶部と、蓄熱量に対応するしきい値データを変更するしきい値データ変更部とを有し、該しきい値データ変更部は時計機構から時刻データを取り込み前記給湯使用量学習記憶部のデータを参照して給湯使用量が多くなる時間帯に近づいた時に上部しきい値と下部しきい値のうち少なくとも上部しきい値を小さくする方向に変更する構成によれば、給湯使用量が多くなる時間帯に近づいた時に少なくとも上部しきい値を小さくする方向へ変更することによって、コジェネレーション給湯熱源装置の貯湯槽を給湯熱源としてより多く用いることができ、省エネ化を図ることができる。
【００３４】
さらに、本発明において、発電装置は水素と酸素を反応させて電気を発生する燃料電池とした構成によれば、発電装置を燃料電池とすることによって、環境に悪影響を与える物質を排出することなく、コジェネレーション給湯熱源装置を運転できるので、環境に優しい複合給湯熱源システムを構築することができる。
【００３５】
さらに、本発明において、発電装置はガスエンジンとした構成によれば、ガスエンジンの発電装置を用いて、上記効果を発揮できる複合給湯熱源システムを構築できる。
【発明を実施するための最良の形態】
【００３６】
以下、本発明の実施の形態を、図面を参照して説明する。なお、本実施形態例の説明において、従来例と同一名称部分には同一符号を付し、その重複説明は省略又は簡略化する。
【００３７】
図２には、本発明に係る複合給湯熱源システムの第１実施形態例のシステム構成図が模式的に示され、図１には、その制御構成が模式的に示されている。図２に示すように、本実施形態例の複合給湯熱源システムは、コジェネレーション給湯熱源装置３と補助給湯熱源装置４とを併設して形成されている。また、本実施形態例の複合給湯熱源システムは、コジェネレーション給湯熱源装置３と補助給湯熱源装置４との給湯動作を制御するために、図１に示す構成の制御装置４４を設けている。
【００３８】
図２に示すように、本実施形態例に適用されているコジェネレーション給湯熱源装置３は、図５に示した装置とほぼ同様に構成されており、発電装置１の排熱を利用して貯湯槽２に蓄積した湯を給湯先に給湯する装置である。貯湯槽２の容量は例えば２００Ｌであり、貯湯槽２には、互いに間隔を介して貯湯槽内湯水温検出センサ１０１〜１１１が設けられている。給湯路１２の出口側には、流量センサ７０が設けられている。
【００３９】
また、本実施形態例において、発電装置１は燃料電池により形成されており、水の電気分解の逆反応で、都市ガス等の燃料から取り出された水素２Ｈ＋と空気中の酸素（１／２）Ｏ２とを反応させて発電する装置である。
【００４０】
コジェネレーション給湯熱源装置３と補助給湯熱源装置４とは、湯水混合ユニット１０と接続通路４５を介して接続されており、湯水混合ユニット１０には給水管１１の分岐通路１１ｂが接続されている。
【００４１】
湯水混合ユニット１０は、前記給湯路１２の開閉を行う湯水開閉弁５４と、給湯路１２から送水される湯の流量を弁開度によって可変制御する湯水比例弁５５と、給水管１１から給水される水の流量を弁開度によって可変制御する湯水比例弁５６と、接続通路４５の入り口側に設けられた流量センサ７１とを有している。湯水開閉弁５４は電磁弁、湯水比例弁５５，５６は、いずれもギアモータにより形成されている。給湯路１２の出口側には湯水温検出センサ１２０が設けられ、接続通路４５の入口側には、湯水温検出センサ１１８，１１９が設けられている。
【００４２】
前記補助給湯熱源装置４は、通水の水を加熱して作成した湯を給湯先に供給する機能を備えた装置であり、給湯器５（５ａ，５ｂ）を有して形成されている。給湯器５（５ａ，５ｂ）は、それぞれ燃焼室２３，２４を有している。給湯器５ａの燃焼室２３内には、バーナ６と、バーナ６の燃焼の給排気を行なう燃焼ファン８と、バーナ６の燃焼により加熱される給湯熱交換器１９とが設けられている。また、給湯器５ｂの燃焼室２４内には、バーナ７と、バーナ７の燃焼の給排気を行なう燃焼ファン９と、バーナ７の燃焼により加熱される追い焚き熱交換器２５とが設けられている。
【００４３】
バーナ６，７には、それぞれのバーナ６，７に燃料を供給するガス管２１，２２が接続されており、これらのガス管２１，２２は、ガス管２０から分岐形成されている。ガス管２０には、ガス開閉弁８０が介設されており、ガス管２１には、ガス比例弁８６とガス開閉弁８１，８２，８３が、ガス管２２には、ガス比例弁８７とガス開閉弁８４，８５がそれぞれ介設されている。これらの弁８０〜８７はいずれも電磁弁により形成されており、ガス開閉弁８０〜８５は、対応するバーナ６，７への燃料供給・停止を制御し、ガス比例弁８６，８７は、対応するバーナ６，７への供給燃料量を弁開度でもって制御する。
【００４４】
前記給湯熱交換器１９の入口側には給水導入通路１８が設けられており、この給水導入通路１８は前記接続通路４５に接続されている。給水導入通路１８の入り口側には、給水導入通路１８を流れる湯水の量を検出する流量センサ７３が設けられている。
【００４５】
給湯熱交換器１９の出口側には給湯通路２６が設けられており、給湯通路２６の先端側は、分岐通路９０と湯水経路切替弁５８を介して前記給水導入通路１８に接続されている。給湯通路２６には、分岐通路９０の合流部よりも下流側に出湯湯温検出センサ１１３が設けられ、給湯熱交換器１９側に出湯湯温検出センサ１１４が設けられている。なお、前記給湯熱交換器１９の途中部には過熱防止装置（サーモスタット）１１５が設けられている。
【００４６】
前記追い焚き熱交換器２５の一端側には往管９１の一端側が接続され、往管９１の他端側は循環金具９７を介して浴槽１２６に連通接続されている。また、追い焚き熱交換器２５の他端側には通路９３が接続され、通路９３の他端側は循環ポンプ９４の吐出口に接続されている。循環ポンプ９４の吸入口には戻り管９６の一端側が接続され、戻り管９６の他端側は前記循環金具９７を介して浴槽１２６に連通接続されている。戻り管９６には浴槽湯水温検出センサ１２７が設けられている。
【００４７】
往管９１と追い焚き熱交換器２５と通路９３と循環ポンプ９４と戻り管９６とによって、浴槽１２６の湯水を循環ポンプ９４の駆動により循環させて浴槽内の湯水を追い焚きするための追い焚き循環通路９９が形成されている。
【００４８】
また、前記給湯通路２６には、分岐通路９０の形成部および出湯湯温検出センサ１１３の配設部よりも下流側に、給湯熱源から浴槽１２６への給湯の通路としての風呂用注湯導入通路９５が接続され、風呂用注湯導入通路９５は、前記通路９３に接続されている。風呂用注湯導入通路９５には、湯水開閉弁５９、逆止弁９２、流量センサ７４、水位センサ１２５が設けられている。水位センサ１２５は、水圧により浴槽１２６の水位を検出する。
【００４９】
前記給湯熱交換器１９から給湯通路２６と風呂用注湯導入通路９５、通路９３、追い焚き熱交換器２５、往管９１を順に通って浴槽１２６に至るまでの通路によって湯張り通路が構成されている。
【００５０】
なお、図２においては、給湯先として、台所等の給湯場所と浴槽１２６を示しているが、浴室のシャワー等の適宜の給湯先に湯を供給する、様々な態様の給湯システムを構成できる。
【００５１】
本実施形態例の複合給湯熱源システムのシステム構成は以上のように構成されており、次に、図１に示す制御装置４４について説明する。制御装置４４は、蓄熱量検出部３５、選択制御部３６、熱源切替阻止部３７、給湯使用量学習記憶部３８、しきい値データメモリ部３９、しきい値データ変更部４０、時計機構４１、燃焼制御部４２を有している。
【００５２】
本実施形態例では、制御装置４４に、蓄熱量に対応するしきい値データを与え、このしきい値データに基づいて給湯熱源をコジェネレーション給湯熱源装置３の貯湯槽２と補助給湯熱源装置４との間で切替制御することを特徴としており、また、上記しきい値データを必要に応じて可変するように構成している。以下、制御装置４４の制御構成について詳細を説明する。
【００５３】
給湯使用量学習記憶部３８は、１日の整数倍（１以上の整数倍）を周期とする時間軸上の各時刻に対する給湯使用量を、流量センサ７３から得られる給湯流量の情報と時計機構４１から得られる時刻情報とに基づき学習記憶する。つまり、例えばその家庭ごとに、風呂の湯張りが行われて給湯使用量が多い時間等がそれぞれ異なるので、給湯使用量学習記憶部３８は、このような情報を記憶する。
【００５４】
しきい値データメモリ部３９は、蓄熱量に対応するしきい値データを格納するものであり、このしきい値データは、上部しきい値とそれよりも値の小さい下部しきい値で与えられている。しきい値データの与え方は様々であるが、その一例として、貯湯槽２内に蓄積されている設定温度範囲（例えば４３℃〜６０℃）の湯の量によって与えることができる。この場合、例えば上部しきい値は４０Ｌ、下部しきい値は０というような値で与えられる。
【００５５】
しきい値データ変更部４０は、前記蓄熱量に対応するしきい値データを適宜変更するものである。しきい値データ変更部４０は、給水温度センサ１１２の検出温度を取り込み、貯湯槽２への給水温度が高くなるにつれ、上部しきい値と下部しきい値のうち少なくとも上部しきい値を小さくする方向へ変更する構成と成している。また、しきい値データ変更部４０は、リモコン等の操作部（図示せず）によって入力される給湯設定温度が低くなるにつれ、上部しきい値と下部しきい値のうち少なくとも上部しきい値を小さくする方向へ変更する構成と成している。
【００５６】
つまり、給水温度が高かったり、給湯設定温度が低かったりすると、例えば貯湯槽２から送水される湯の量に対し、給水管１１から分岐通路１１ｂを介して混合される水の量が多くなるので、貯湯槽２内に蓄積されている湯量が少なめでも、貯湯槽２を給湯熱源として、例えばシャワー等により一度に使用される給湯量は貯湯槽２に蓄積されている湯量で足りる。そこで、本実施形態例では、上記のように、給水温度や給湯設定温度に応じて前記上部しきい値を変更するようにしている。
【００５７】
また、しきい値データ変更部４０は時計機構４１から時刻データを取り込み、前記給湯使用量学習記憶部３８のデータを参照して、給湯使用量が多くなる時間帯に近づいた時に、上部しきい値と下部しきい値のうち少なくとも上部しきい値を小さくする方向に変更する構成と成している。
【００５８】
蓄熱量検出部３５は、コジェネレーション給湯熱源装置３の稼働状況の蓄熱量検出に関するモニタ情報に基づき、貯湯槽２内の湯の蓄熱量に対応する値を求めるものである。前記モニタ情報は、例えば貯湯槽内湯水温検出センサ１０１〜１１１による検出温度の情報や、発電装置１の稼働時間の情報等である。発電装置１の稼働時間は、例えば発電装置１のオンオフ情報と時計機構４１から得られる時間情報から得ることができる。なお、排熱湯導入通路１４に流量センサを設ければ、この流量センサの情報から発電装置１の稼働時間の情報を得ることもできる。
【００５９】
ここで、貯湯槽２内の湯の蓄熱量に対応する値の求め方の一例を示す。蓄熱量検出部３５は、例えば前記モニタ情報として、貯湯槽内湯水温検出センサ１０１〜１１１による検出温度の情報を取り込み、貯湯槽内湯水温検出センサ１０５による検出温度が約６０℃であり、貯湯槽内湯水温検出センサ１０６による検出温度が約２０℃であるとすると、図５の破線Ａで示したような、貯湯槽２内の水と湯との境界線が貯湯槽内湯水温検出センサ１０５と貯湯槽内湯水温検出センサ１０６との間にあり、貯湯槽２内には、約６０℃の湯が約８０Ｌ蓄積されていると判断する。
【００６０】
なお、このように、貯湯槽内湯水温検出センサ１０１〜１１１による検出温度の情報に基づいて求められる貯湯槽２内の湯の蓄熱量に対応する値は、直接的な計測により得られる値であるので、貯湯槽２内の湯の蓄熱量と呼ぶこともできるが、本出願においては、上記のようにして求められる値も、蓄熱量に対応する値と称している。
【００６１】
また、蓄熱量検出部３５に、発電装置１の稼働による単位時間ごとの湯の蓄積量を予め与えておき、この量が、例えば毎分２Ｌだとすると、時計機構４１から得られる発電装置１の時間情報が３０分経過したときに、蓄熱量検出部３５は、貯湯槽２内には、約６０℃の湯が６０Ｌ蓄積されていると判断する。このように、蓄熱量検出部３５は、時計機構４１から得られる発電装置１の稼働時間情報に基づき、貯湯槽２内の湯量を時々刻々と検出することができる。
【００６２】
さらに、蓄熱量検出部３５は、貯湯槽２内の湯の使用量を、例えば流量センサ７０の検出データから算出し、この値を貯湯槽２内に蓄積されている湯量から差し引くことにより、貯湯槽２内に残っている湯量を時々刻々と検出することができるし、湯の蓄積時からの経過時間によって貯湯槽２内に蓄積されている湯の温度を推定することができる。
【００６３】
選択制御部３６は、給湯熱源の選択制御部であり、前記蓄熱量検出部３５により求められた蓄熱量に対応する値が前記下部しきい値以下に低下したときは、給湯熱源を前記貯湯槽２から補助給湯熱源装置４へ切替えて給湯を行い、蓄熱量検出部３５により求められた貯湯槽２内の湯の蓄熱量に対応する値が前記上部しきい値以上に上昇したときは、給湯熱源を前記補助給湯熱源装置４からコジェネレーション給湯熱源装置３の貯湯槽２へ切替えて給湯を行う。
【００６４】
本実施形態例においては、コジェネレーション給湯熱源装置３の貯湯槽２から送水される給湯の通路（給湯路１２）は、接続通路４５を介して補助給湯熱源装置４の給水導入口に連通されており、前記貯湯槽２の湯のみを熱源として貯湯槽２内から設定温度以上の湯を送水する時は、貯湯槽２の湯を非加熱駆動状態の補助給湯熱源装置４を経由して給湯先へ給湯する構成と成している。
【００６５】
つまり、貯湯槽２の湯のみを熱源として給湯を行うときは、選択制御部３６は、湯水開閉弁５４を開き、湯水比例弁５５、５６の開弁量を適宜調節して、貯湯槽２内の湯を、給水通路１１からその分岐通路１１ｂを介して給水される水と混合して設定温度の湯として非加熱駆動状態の補助給湯熱源装置４に送る。そして、例えば補助給湯熱源装置４に導入された設定温度の湯を、湯水経路切替弁５８を切替えて分岐通路９０を通して台所等の適宜の給湯先へ給湯する、または、風呂用注湯導入通路９５を通して風呂の湯張りを行う。なお、風呂の湯張り時は、湯水開閉弁５９を開く。
【００６６】
また、選択制御部３６は、給湯熱源を補助給湯熱源装置４に切り替えたときは、例えば湯水開閉弁５４を閉じ、給水管１１から分岐通路１１ｂを介して湯水混合ユニット１０に導入される水を、接続通路４５を介して給湯器５ａに導入すると共に、給湯器５ａの燃焼制御部４２に指令を与え、給湯器５ａを稼働させて補助給湯熱源装置４による給湯を行う。
【００６７】
燃焼制御部４２は、流量センサ７３の検出流量を参照しながら、ガス開閉弁８１，８２，８３の少なくとも一つを開き、ガス比例弁８６の開弁量を調節してバーナ６に供給されるガス量を調節すると共に、燃焼ファン８の風量調節を行い、給湯熱交換器１９を通って出湯される湯が設定温度の湯となるようにバーナ６の燃焼制御を行う。
【００６８】
熱源切替阻止部３７は、制御装置４４により給湯熱源がコジェネレーション給湯熱源装置３の貯湯槽２から補助給湯熱源装置４へ切替られたときには、その補助給湯熱源装置４の給湯動作が終了するまでは補助給湯熱源装置４からコジェネレーション給湯熱源装置３の貯湯槽２への熱源切替を阻止する。
【００６９】
本実施形態例では、熱源切替阻止部３７は、給湯器５ａの流量センサ７３によって検出される給湯流量を監視し、流量センサ７０の検出流量がゼロとなり、かつ、流量センサ７３の検出流量がプラスの値となったときに、給湯熱源が補助給湯熱源装置４に切替えられたと判断し、その後、流量センサ７３の検出流量がゼロになって、補助給湯熱源装置４の給湯動作が終了するまでは、選択制御部３６による湯水開閉弁５４の開動作を阻止して、給湯熱源を補助給湯熱源装置４とする。
【００７０】
なお、本実施形態例において、選択制御部３６が、給湯熱源を補助給湯熱源装置４に切替えて運転する場合、通常は、上記のように、給水源から給湯管１１とその分岐通路１１ｂを通って補助給湯熱源装置４に供給される水を補助給湯熱源装置４によって加熱するが、必要に応じて、貯湯槽２から送水される水を補助給湯熱源装置４によって加熱する制御も行う。
【００７１】
つまり、排熱湯導入通路１４から貯湯槽２内に導入される湯の温度は約６０℃であるが、貯湯槽２内の湯が長い間使用されない状態が続くと、貯湯槽２内の湯の温度が低下してしまい、この場合、貯湯槽２内に蓄積されている設定温度範囲（例えば４３℃〜６０℃）の湯の量は０と判断されてしまって使用されなくなってしまう。そうなると、貯湯槽２内の湯が補助給湯熱源装置４側に送られないことになるが、より効率的に作動させるためには、貯湯槽２内の湯を加熱して用いることが好ましい場合もある。
【００７２】
本実施形態例では、選択制御部３６は、貯湯槽内湯水温検出センサ１０１〜１１１の検出温度を監視し、前記設定温度範囲の湯の量がゼロでも、湯温が２５度以上の湯が設定量以上あるときは、この貯湯槽２内の湯水を給湯路１２から送出し、この湯水を補助給湯熱源装置４で加熱して給湯先へ送水する構成としている。つまり、この場合、貯湯槽２から送水される給湯の検出温度情報を湯水温検出センサ１００から取り込むと、その給湯の検出温度が給湯設定温度よりも低いので、補助給湯熱源装置４を加熱駆動し、貯湯槽２からの湯を補助給湯熱源装置４で加熱して給湯先へ送水する構成としており、この構成により、より効率的な給湯を行うことができる。
【００７３】
本実施形態例は以上のように構成されており、制御装置４４に、蓄熱量に対応するしきい値データを上部しきい値とそれよりも値の小さい下部しきい値で与え、コジェネレーション給湯熱源装置３の稼働状況の蓄熱量検出に関するモニタ情報に基づいて求めた貯湯槽２内の蓄熱量に対応する値が、前記下部しきい値以下に低下したときは給湯熱源を前記貯湯槽２から補助給湯熱源装置４へ切替えて給湯を行い、貯湯槽２内の湯の蓄熱量に対応する値が、前記上部しきい値以上に上昇したときは給湯熱源を前記補助給湯熱源装置４からコジェネレーション給湯熱源装置３の貯湯槽２へ切替えて給湯を行うので、給湯熱源の切替えが頻繁に起こることを抑制でき、出湯温度の安定化を図ることができる。
【００７４】
また、本実施形態例によれば、制御装置４４に熱源切替阻止部３７を設け、給湯熱源がコジェネレーション給湯熱源装置３の貯湯槽２から補助給湯熱源装置４へ切替られたときには、その補助給湯熱源装置４の給湯動作が終了するまでは補助給湯熱源装置４からコジェネレーション給湯熱源装置３の貯湯槽２への熱源切替を阻止する構成としているので、給湯熱源の切替えが頻繁に起こることをより一層抑制し、出湯温度の安定化をより一層確実に図ることができる。
【００７５】
さらに、本実施形態例によれば、蓄熱量に対応するしきい値データを変更するしきい値データ変更部４０を設け、貯湯槽２への給水温度が高くなるにつれ上部しきい値と下部しきい値のうち少なくとも上部しきい値を小さくする方向へ変更したり、給湯設定温度が低くなるにつれ上部しきい値と下部しきい値のうち少なくとも上部しきい値を小さくする方向へ変更したりする構成としているので、給水温度や給湯設定温度に応じて少なくとも上部しきい値を小さくする方向へ変更することによって、コジェネレーション給湯熱源装置３の貯湯槽２を給湯熱源としてより多く用いることができ、省エネ化を図ることができる。
【００７６】
さらに、本実施形態例によれば、給湯使用量学習記憶部３８を設け、前記しきい値データ変更部４０が時計機構４１から時刻データを取り込んで、給湯使用量学習記憶部のデータ３８を参照して給湯使用量が多くなる時間帯に近づいた時に上部しきい値と下部しきい値のうち少なくとも上部しきい値を小さくする方向に変更するので、コジェネレーション給湯熱源装置３の貯湯槽２を給湯熱源としてより多く用いることができ、省エネ化を図ることができる。
【００７７】
さらに、本実施形態例によれば、コジェネレーション給湯熱源装置３の貯湯槽２と発電装置１との間に配備された手段によって形成された湯を貯湯槽２に蓄積し、この貯湯槽２の湯を、貯湯槽２に備えられた給湯路１２を通して給湯先に供給する構成としているので、コジェネレーション給湯熱源装置３による湯の蓄積と、貯湯槽２からの湯の給湯とを効率的に行うことができる。
【００７８】
さらに、本実施形態例によれば、コジェネレーション給湯熱源装置３の貯湯槽２から送水される給湯の通路（給湯路１２）を、補助給湯熱源装置４の給水導入口に連通し、前記貯湯槽２の設定温度以上の湯を熱源として給湯を行うときは、貯湯槽２の湯を非加熱駆動状態の補助給湯熱源装置４を経由して給湯先へ給湯する構成としているので、システム構成を簡単にでき、効率的に給湯を行うことができる。
【００７９】
さらに、本実施形態例によれば、発電装置１は水素と酸素を反応させて電気を発生する燃料電池としているので、環境に悪影響を与える物質を排出することなく、コジェネレーション給湯熱源装置を運転でき、環境に優しい複合給湯熱源システムを構築することができる。
【００８０】
なお、本発明は上記実施形態例に限定されることはなく、様々な態様を採り得る。例えば、上記実施形態例では、発電装置１は燃料電池としたが、発電装置１の燃料や構成は特に限定されるものでなく、適宜設定されるものである。つまり、発電装置１はガスエンジンとしてもよく、ガスタービン発電装置やディーゼルエンジン発電装置等も適用することができ、本発明は、このような発電装置１を用いて形成した発電システムの排熱を用いて貯湯槽２内への蓄熱を行ってもよいものである。
【００８１】
また、上記実施形態例では、コジェネレーション給湯熱源装置３の貯湯槽２と発電装置１との間には発電装置１の排熱を利用して貯湯槽２内の水を加熱して湯にする手段を配備したが、図３（ａ）、（ｂ）に示すように、発電装置１の排熱吸収流体の熱を利用して貯湯槽２内の水を加熱して湯にする手段を配備して、該手段によって形成された湯を貯湯槽２に蓄積してもよい。
【００８２】
図３（ａ）に示す構成は、発電装置１の排熱吸収流体を循環させる循環管路６６を貯湯槽２内に通し、排熱吸収流体と貯湯槽２内の水との間で熱交換を行って、貯湯槽２内の水を湯にする。また、このとき、排熱吸収流体の熱を貯湯槽２内の水に与えることにより、冷却され、排熱吸収流体は冷却流体となって発電装置１に送られるものである。
【００８３】
また、図３（ｂ）に示す構成は、貯湯槽２と発電装置１との間に、例えば銅板等によって形成した熱交換部材６７を設け、発電装置１の排熱吸収流体を循環させる循環管路６６を熱交換部材６７に通し、また、熱交換部材６７には、貯湯槽２内の水を循環させる循環管路６８を設け、熱交換部材６７を介し、循環管路６６を通る排熱吸収流体と循環管路６８を通る水との間で熱交換させる。つまり、熱交換部材６７を介し、排熱吸収流体の熱を、循環管路６８を通る貯湯槽２内の水に与えて貯湯槽２内の水を湯にし、このとき、排熱吸収流体を冷却して冷却流体とするものである。
【００８４】
また、上記実施形態例では、給水管路１１を、湯水混合ユニット１０を介して補助給湯熱源装置４の給水導入通路１８に接続したが、図４（ａ）に示すように、給水管路１１を、弁６９を介して給湯通路２６側に接続してもよいし、図４（ｂ）に示すように、給水管路１１を、弁６９を介して、給水導入通路１８と給湯通路２６の両方に接続してもよい。
【００８５】
さらに、上記実施形態例では、制御装置４４は、熱源切替阻止部３７を設けたが、熱源切替阻止部３７は省略することもできる。なお、この場合、例えばしきい値データ変更部４０が前記給湯使用量学習記憶部３８のデータを参照して、給湯使用量が多くなる時間帯に近づいた時に上部しきい値を小さくする方向に変更すると、給湯熱源の切替が多少多めに起こる可能性がある。
【００８６】
しかし、給湯使用量は例えば湯張り時に非常に多くなり、このような場合、多少の湯温変動があっても、使用者が不快な思いをすることは少なく、上部しきい値を小さくして、貯湯槽２を給湯源とする割合を多くすることにより、より一層の省エネ化を図ることができる。
【００８７】
さらに、上記実施形態例では、しきい値データ変更部４０を設け、貯湯槽２への給水温度と給湯設定温度とを監視し、さらに、給湯使用量学習記憶部３８のデータを参照して、上部しきい値を小さくなる方向に変更するようにしたが、しきい値データ変更部４０は、貯湯槽２への給水温度の監視と給湯設定温度の監視と給湯使用量学習記憶部３８のデータ参照の少なくとも一つに応じて上部しきい値を小さくなる方向に変更してもよい。なお、しきい値データ変更部４０が給湯使用量学習記憶部３８のデータ参照しない場合、給湯使用量学習記憶部３８は省略することもできる。
【００８８】
また、しきい値データ変更部４は、上記上部しきい値と下部しきい値の両方を変更してもよい。さらに、しきい値データ変更部４０を省略し、選択制御部３６は、予め与えた上部しきい値と下部しきい値に基づいて、給湯熱源を、コジェネレーション給湯熱源装置３の貯湯槽２と補助給湯熱源装置４のいずれかに切替えてもよい。
【００８９】
さらに、給湯使用量学習記憶部３８を省略し、かつ、蓄熱量検出部３５による蓄熱量検出を発電装置１の稼働時間に基づいて行わない場合は、時計機構４１を省略することもできる。
【００９０】
さらに、上記実施形態例では、補助給湯熱源装置４は、給湯、風呂の追い焚き、温水暖房が可能な補助給湯熱源装置としたが、補助給湯熱源装置４の構成は上記実施形態例に適用した構成に示す構成に限らず、通水の水を加熱して作成した湯を給湯先に供給できる装置であれば、例えば給湯器のみでもよく、また、燃焼方式をガス燃焼式とせずに石油燃焼式としてもよく、様々な構成を適用できる。
【００９１】
さらに、上記実施形態例では、コジェネレーション給湯熱源装置３の貯湯槽２の給湯路１２を、湯水混合ユニット１０と接続通路４５を介して補助給湯熱源装置４の給水導入口に連通したが、本発明は、コジェネレーション給湯熱源装置３と補助給湯熱源装置４とを別個に設けて併設してもよい。
【図面の簡単な説明】
【００９２】
【図１】本発明に係る複合給湯熱源システムの一実施形態例の制御構成を示す要部構成図である。
【図２】本発明に係る複合給湯熱源システムの一実施形態例のシステム構成を模式的に示す要部構成図である。
【図３】本発明に係る複合給湯熱源システムの他の実施形態例に適用されるコジェネレーション給湯熱源装置の構成を模式的に示す要部説明図である。
【図４】本発明に係る複合給湯熱源システムの他の実施形態例に適用される補助給湯熱源装置とのコジェネレーション給湯熱源装置の給水管との接続構成を模式的に示す要部説明図である。
【図５】コジェネレーション給湯熱源装置の構成例とその動作を模式的に示す説明図である。
【符号の説明】
【００９３】
１  発電装置
２  貯湯槽
３  コジェネレーション給湯熱源装置
４  補助給湯熱源装置
５  給湯器
３５  蓄熱量検出部
３６  選択制御部
３７  熱源切替阻止部
３８  給湯使用量学習記憶部
３９  しきい値データメモリ部
４０  しきい値データ変更部
４１  時計機構
４２  燃焼制御部
４４  制御装置
１０１〜１１１  貯湯槽内湯水温検出センサ
【図１】
2005299962.tif 000003
【図２】
2005299962.tif 000004
【図３】
2005299962.tif 000005
【図４】
2005299962.tif 000006
【図５】
2005299962.tif 000007